(57)【要約】【課題】香り付けを目的とした香り成分などの水を使用した希釈を必要としない新たな溶液を原液の状態で洗濯槽内に送給することができる洗濯機を実現する。【解決手段】筐体４３と、衣類を収容する回転ドラム４１と、その外周を覆い回転ドラム４１を回転自在に支持して筐体４３内に揺動自在に支持され、洗濯水を貯蔵する洗濯槽４４と、洗剤を収納し投入された水を洗剤に当てて洗剤液を生成する、筐体４３に着脱自在に収容した洗剤投入箱６４と、洗濯槽４４に噴出される香り成分を収納する香り成分収納箱８４とを備え、香り成分収納箱８４を洗剤投入箱６４に格納して筐体４３に着脱することを特徴としたものであり、香り成分を原液の状態で洗濯槽４４内に送給することができる。【選択図】図２
2018042866.tif 000002
【特許請求の範囲】
【請求項１】
筐体と、衣類を収容する収容槽と、前記収容槽の外周を覆い前記収容槽を回転自在に支持して前記筐体内に揺動自在に支持され、洗濯水を貯蔵する洗濯槽と、洗剤を収納し投入された水を洗剤に当てて洗剤液を生成し、前記筐体に着脱自在に収容した洗剤投入箱と、前記洗濯槽に噴出される香り成分を収納する香り成分収納箱とを備え、前記香り成分収納箱を前記洗剤投入箱に格納して前記筐体に着脱することを特徴とする洗濯機。
【請求項２】
前記洗剤投入箱が前記筐体内に収容された状態において、前記香り成分収納箱は、投入された水が接触しない位置に配設した請求項１記載の洗濯機。
【請求項３】
前記香り成分収納箱は、前記洗剤投入箱の最も奥側に配設し、前記洗剤投入箱が前記筐体内に収容された状態で前記洗剤投入箱を収納する洗剤ケースと前記洗剤投入箱とが接続される接続部は、前記香り成分収納箱の奥側の壁面下部とそれに対向した前記洗剤ケースに設けた請求項１または２記載の洗濯機。
【請求項４】
前記接続部には、前記香り成分収納箱と一体に、奥側に形成した第一の接続口と、前記第一の接続口をシールするシール材と、前記シール材を押圧する弾性体で構成したシール構成部材と、前記第一の接続口に対向する位置に前記洗剤ケースに配置され、かつ、前記第一の接続口の外周部と水密的に接合するゴムなどの可撓性部材で形成した第二の接続口とを備え、前記収納ケースに、前記第一の接続口の内側で前記シール構成部材に対向する位置に、前記シール構成部材を開閉する凸部を形成した請求項３記載の洗濯機。
【請求項５】
前記凸部の寸法は、前記香り成分収納箱の前記第一の接続口の外周部と前記洗剤ケースの前記可撓性部材が水密的に接合した後に、前記シール構成部材を開くように設定された請求項４記載の洗濯機。
【請求項６】
前記第一の接続口と前記第二の接続口の水密接続を維持するため前記洗剤投入箱の前後方向を規制する係止部を備え、前記係止部は、使用者がその一部を押圧すると、前記洗剤投入箱の前記洗剤ケースに対する係り止めが解除されるように可撓部を形成するとともに、前記シール構成部材の弾性体の力で前記筐体の前方方向に押し出されるように構成した請求項４または５記載の洗濯機。
【請求項７】
前記香り成分収納箱には、内側に空気を取り入れるための逆止弁が配置された請求項１記載の洗濯機。
【発明の詳細な説明】
【技術分野】
【０００１】
本発明は、衣類を洗濯、脱水及び／又は乾燥するための洗濯機に関するものである。
【背景技術】
【０００２】
従来、この種の洗濯機は、洗剤を投入する洗剤ケースを備え、運転開始に先立ち、前記洗剤ケース内に洗剤や、仕上剤等を予め投入する構成がとられてきた（例えば、特許文献１、特許文献２参照）。
【０００３】
図４は、引用文献１に記載された従来のドラム式洗濯機の縦断面図、図５は、同ドラム式洗濯機の洗剤投入部（洗剤収容容器）の斜視図、図６は、同ドラム式洗濯機の洗剤投入部（洗剤収容容器）の断面図である。
【０００４】
図４に示すように、ドラム式洗濯機１０１は、洗濯機筐体１０２内に、図示しないサスペンション構造によって洗濯槽１０３が宙吊り状態に配設され、洗濯槽１０３内に有底円筒形に形成された回転ドラム１０４が配設されている。回転ドラム１０４は、洗濯槽１０３の背面側に取り付けられたモータ１０６によって正転及び逆転方向に回転駆動される。
【０００５】
洗濯機筐体１０２内の上部に、洗剤を収容する洗剤収容容器１２１と、給水配管に接続されて洗剤収容容器１２１に給水する給水路１３１と、断面略コ字状に形成され、上面に注水蓋体１３０を固定するとともに、注水蓋体１３０との間に形成された空間に洗剤収容容器１２１を引き出し自在に収容する洗剤ケース１４０とを備えた洗剤投入部１２０が配設され、洗剤ケース１４０は、下面の洗剤液供給路１４１により前記洗濯槽１０３に給水経路１２６で通水可能に配管されている。
【０００６】
図５の斜視図、図６の断面図において、洗剤収容容器１２１には、奥側に設けられ、粉末合成洗剤を収容する粉末洗剤収容部１２２と、前記粉末洗剤収容部１２２の前面側に隣接した位置に配され、液体洗剤や液体漂白剤を収容する液体洗剤収容部１２３、および前記液体洗剤収容部１２３と横並びの位置に配された液体仕上剤を収容する液体仕上剤収容部１２４とを備えて構成されている。
【０００７】
前記粉末洗剤収容部１２２の奥には、投入した粉末洗剤を収容保持するとともに、給水により洗剤液として流出させるために、開口であるスリット１５０ａを有する洗剤落下防止板１５０を設けている。そして、粉末洗剤収容部１２２の下流側には、粉末洗剤投入路１２２ａが形成されており、また、液体洗剤収容部１２３と液体仕上剤収容部１２４の下流側には、それぞれ液体洗剤投入路１２３ａと液体仕上剤投入路１２４ａとが形成されている。
【０００８】
以上のように構成された洗剤投入部１２０には、洗い行程において、注水蓋体１３０の下面に形成した複数個の透孔である注水口（図示せず）から粉末洗剤収容部１２２、および液体洗剤収容部１２３に注水され、また、すすぎ行程においては、前記注水口から液体仕上剤収容部１２４に注水される。
【０００９】
そして、洗い行程において、粉末洗剤収容部１２２により粉末合成洗剤を希釈拡散した洗剤液は、スリット１５０ａより粉末洗剤投入路１２２ａを経由して、洗剤液供給路１４１および給水経路１２６を通じて、洗濯槽１０３内に送給される。あるいは、液体洗剤収容部１２３により液体洗剤を希釈拡散した洗剤液は、サイフォンの原理により液体洗剤投入路１２３ａを経由して、洗剤液供給路１４１および給水経路１２６を通じて、洗濯槽１
０３に送給される。また、すすぎ行程において、液体仕上剤収容部１２４により液体仕上剤を希釈拡散した仕上液は、同様にサイフォンの原理により、液体仕上剤投入路１２４ａを経由して、洗剤液供給路１４１および給水経路１２６を通じて、洗濯槽１０３に送給される。
【先行技術文献】
【特許文献】
【００１０】
【特許文献１】特開２００８−９９９２０号公報
【特許文献２】特開２０１２−７５６８６号公報
【発明の概要】
【発明が解決しようとする課題】
【００１１】
しかしながら、前記従来の構成では、洗剤投入部１２０に投入された粉末合成洗剤、液体洗剤および液体漂白剤を洗濯槽１０３内に送給するためには、注水蓋体１３０の下面に形成した複数個の透孔である注水口から洗剤投入部１２０への注水が必要である。このため、香り付けを目的とした香り成分などの水を使用した希釈を必要としない新たな溶液を原液の状態で洗濯槽１０３内に送給することができないという課題を有していた。
【００１２】
本発明は、前記従来の課題を解決するもので、香り付けを目的とした香り成分などの水による希釈を必要としない新たな溶液を原液の状態で洗濯槽内に送給することができる洗濯機を提供することを目的としている。
【課題を解決するための手段】
【００１３】
本発明は上記目的を達成するために、筐体と、衣類を収容する収容槽と、前記収容槽の外周を覆い前記収容槽を回転自在に支持して前記筐体内に揺動自在に支持され、洗濯水を貯蔵する洗濯槽と、洗剤を収納し投入された水を洗剤に当てて洗剤液を生成し、前記筐体に着脱自在に収容した洗剤投入箱と、前記洗濯槽に噴出される香り成分を収納する香り成分収納箱とを備え、前記香り成分収納箱を前記洗剤投入箱に格納して前記筐体に着脱することを特徴とする洗濯機である。
【００１４】
これにより、香り付けを目的とした香り成分などの水による希釈を必要としない新たな溶液を香り成分収納箱に投入することで、粉末合成洗剤、液体洗剤および液体漂白剤とは別の経路で、香り成分を原液の状態で洗濯槽に投入することが可能となる。
【発明の効果】
【００１５】
本発明の洗濯機は、香り付けを目的とした香り成分などの水による希釈を必要としない新たな溶液を原液の状態で洗濯槽内に送給することができる洗濯機を実現させることができる。
【図面の簡単な説明】
【００１６】
【図１】本発明の実施の形態１におけるドラム式洗濯機の縦断面図
【図２】同ドラム式洗濯機の洗剤投入箱の斜視図
【図３】同ドラム式洗濯機の第一の接続口と第二の接続口の接続部分の断面図
【図４】従来のドラム式洗濯機の縦断面図
【図５】同ドラム式洗濯機の洗剤収容容器部分の斜視図
【図６】同ドラム式洗濯機の洗剤収容容器部分の断面図
【発明を実施するための形態】
【００１７】
第１の発明は、筐体と、衣類を収容する収容槽と、前記収容槽の外周を覆い前記収容槽を回転自在に支持して前記筐体内に揺動自在に支持され、洗濯水を貯蔵する洗濯槽と、洗
剤を収納し投入された水を洗剤に当てて洗剤液を生成し、前記筐体に着脱自在に収容した洗剤投入箱と、前記洗濯槽に噴出される香り成分を収納する香り成分収納箱とを備え、前記香り成分収納箱を前記洗剤投入箱に格納して前記筐体に着脱することを特徴とするものである。これにより、香り付けを目的とした香り成分などの水を使用した希釈を必要としない新たな溶液を前記香り成分収納箱に投入することで、粉末合成洗剤、液体洗剤および液体漂白剤とは別の経路で、香り成分を原液の状態で前記洗濯槽に投入することが可能である。
【００１８】
第２の発明は、上記第１の発明において、前記洗剤投入箱が前記筐体内に収容された状態において、前記香り成分収納箱は、投入された水が接触しない位置に配設したことにより、香り成分収納箱内に収納された香り成分が水によって希釈されることがなく、原液の状態で洗濯槽に投入することができる。
【００１９】
第３の発明は、上記第１または第２の発明において、前記香り成分収納箱は前記洗剤投入箱の最も奥側に配設し、前記洗剤投入箱が前記筐体内に完全に収容された時に前記洗剤投入箱を収納する洗剤ケースと前記洗剤投入箱とが接続される接続部は、前記香り成分収納箱の奥側の壁面下部とそれに対向した前記洗剤ケースに設けたことにより、前記香り成分収納箱に投入した香り成分をその自重で前記洗剤ケースへ送給することができる。
【００２０】
第４の発明は、上記第３の発明において、前記接続部には、前記香り成分収納箱と一体に、その奥側に形成した第一の接続口と、前記第一の接続口をシールするシール材と前記シール材を押圧する弾性体で構成したシール構成部材と、前記第一の接続口に対向する位置に前記洗剤ケースに配置され、かつ、前記第一の接続口の外周部と水密的に接合するゴムなどの可撓性部材で形成した第二の接続口とを備え、前記収納ケースに、前記第一の接続口の内側で前記シール構成部材に対向する位置に、前記シール構成部材を開閉する凸部を形成したことにより、単純な接続構成で前記香り成分収納箱に投入した香り成分を前記洗剤ケースへ送給することができる。
【００２１】
第５の発明は、上記第４の発明において、前記凸部の寸法は、前記香り成分収納箱の前記第一の接続口の外周部と前記洗剤ケースの前記可撓性部材が水密的に接合した後に、前記シール構成部材を開くように設定されたことにより、単純な接続構成でありながら、前記香り成分収納箱に投入した香り成分を香り成分収納箱外に漏らすことなく確実に前記洗剤ケースへ送給することができる。
【００２２】
第６の発明は、上記第４または第５の発明において、前記第一の接続口と前記第二の接続口の水密接続を維持するため前記洗剤投入箱の前後方向を規制する係止部を備え、前記係止部は、使用者がその一部を押圧すると、前記洗剤投入箱の前記洗剤ケースに対する係り止めが解除されるように可撓部を形成するとともに、前記シール構成部材の弾性体の力で前記筐体の前方方向に押し出されるように構成したことにより、安定して前記第一の接続口と前記第二の接続口を接続密着および接続解除させることができる。
【００２３】
第７の発明は、上記第１の発明において、前記香り成分収納箱には、内側に空気を取り入れるための逆止弁が配置されたことにより、香り成分収納箱内が密閉状態となることを防止できるので、前記香り成分収納箱に投入した香り成分をその自重で前記洗剤ケースへ確実に送給することができる。
【００２４】
（実施の形態１）
以下、本発明の洗濯機に係る一つの実施の形態について、図１〜図３に基づき詳細に説明する。図１は、本発明に係る実施の形態１のドラム式洗濯機の構造を説明するための縦断面図である。図２は、本発明に係る実施の形態１のドラム式洗濯機の洗剤投入箱の斜視
図である。図３は、本発明に係る実施の形態１のドラム式洗濯機の第一の接続口と第二の接続口の接続部分の断面図である。
【００２５】
なお、下記に開示される実施の形態はすべての点で例示であって、制限的なものではないと考えられるべきである。本発明の技術的範囲は、実施の形態で開示された内容ではなく、特許請求の範囲の記載によって示され、さらに、特許請求の範囲と均等の意味および範囲内でのすべての変更が含まれると解されるべきである。
【００２６】
図１において、衣類を収容する収容槽である回転ドラム４１は、有底円筒形に形成されており、外周部に多数の通水孔４２が全面に設けられ、筐体４３内に揺動自在に支持された洗濯槽４４内に回転自在に配設されている。回転ドラム４１の回転中心に傾斜方向に回転軸（回転中心軸）４５が設けられ、回転ドラム４１の軸心方向は正面側から背面側に向けて下向きに傾斜させている。回転軸４５に、大プーリ４６、ベルト４７、小プーリ４８を介して、洗濯槽４４の背面側近傍に取り付けたモータ４９を連結し、回転ドラム４１を正転、逆転方向に回転駆動する。回転ドラム４１の傾斜角度はたとえば１０度としているが、水平にしてもよい。
【００２７】
また、回転ドラム４１の内壁面には、衣類撹拌用の複数個の突起板５０を設けており、回転ドラム４１を低速で回転させることにより、衣類を突起板５０で引っ掛けて上方に持ち上げた後、適当な高さで落下させるといった撹拌動作（タンブリング動作）を与えることにより、衣類の撹拌たたき洗い、および乾燥動作などを行なう。
【００２８】
上記の、回転ドラム４１、洗濯槽４４、モータ４９等により、振動系の洗濯槽ユニット５１が構成されている。
【００２９】
洗濯槽４４の正面側で筐体４３の上向き傾斜面に設けた開口部を、扉体５２により開閉自在に覆い、扉体５２を開くことにより、衣類出入口５３を通して回転ドラム４１内に洗濯物を出し入れできるようにしている。また、洗濯槽ユニット５１は、筐体４３下方の防振部材５４および上方のばね体（図示せず）により揺動自在に防振支持され、洗濯槽４４の下部には、排水経路５６の一端を接続し、排水経路５６の他端を排水弁（排水手段）５７に接続して、洗濯槽４４内の洗濯水を外部に排水する。
【００３０】
また、筐体４３の上部には、筐体４３を覆う天板６２が配設されており、天板６２の内方に、制御装置６３が配設されている。制御装置６３は、操作パネル部５９での入力設定手段（図示せず）により運転開始が設定されると、洗濯槽４４内の水位を検知する水位検知手段（図示せず）等からのデータを入力して、モータ４９、排水弁５７、給水弁５８などの動作を制御し、洗い、すすぎ、脱水、乾燥行程などの各行程を制御する。
【００３１】
筐体４３の正面から見て左上部には、前後が長手方向の洗剤投入部６０が配設されており、洗剤を収容する洗剤投入箱６４と、給水弁５８に接続されて、洗剤投入箱６４に給水する給水路６５に配管された注水蓋体６６と、洗剤投入箱６４が収納された洗剤ケース６７などで構成されている。
【００３２】
前記洗剤ケース６７は、上方に開口を有する有底の断面略コ字状箱体であり、前記注水蓋体６６の下方に配設されており、洗剤ケース６７と注水蓋体６６との間に形成された空間部６８に前記洗剤投入箱６４が収納され、筐体４３の前方側に向かって、引き出し自在となっている。
【００３３】
また、注水蓋体６６には、洗剤投入箱６４に給水する水の通水路となる通水空間部（図示せず）と、通水空間部の底面に多数の小孔を形成した注水口（図示せず）とが形成され
ており、注水口を介して洗剤投入箱６４に給水された水が、洗剤投入箱６４に収容された洗剤等（粉末合成洗剤、液体洗剤、液体仕上剤など）と混合されて洗剤液が生成され、洗剤ケース６７の底部に形成された洗剤液供給路７０から洗濯槽給水経路６９を経由して、洗濯槽４４内に供給される。
【００３４】
前記洗剤投入部６０の詳細構成について、図２を参照して説明する。図２の斜視図において、洗剤投入箱６４は、収容容器本体７１、取っ手７２および収容部蓋体７４などから構成されている。なお、洗剤投入箱６４の内部構成を明確に示すため、図２では収容部蓋体７４を上方に分解した状態で示している。
【００３５】
収容容器本体７１には、長手方向の最後部側に粉末洗剤を投入する粉末洗剤収容部７５が、粉末洗剤収容部７５の前側に液体洗剤を投入する液体洗剤収容部（第１の収容部）７６が、そして最前部に液体仕上剤を投入する液体仕上剤収容部（第２の収容部）７７が形成されており、液体仕上剤収容部７７に対応する位置には、前記収容部蓋体７４が、液体仕上剤収容部７７の上方を覆っている。
【００３６】
液体仕上剤収容部７７の底部には、筒状の液体仕上剤投入口７９が上方に向けて立設されていると共に、収容部蓋体７４には、液体仕上剤投入口７９を外方より覆い、下端が液体仕上剤収容部７７の底部に達する円筒形状の筒状突出部８０が下方に向けて立設されている。液体仕上剤収容部７７の底面部は、液体仕上剤投入口７９に向かって下方に傾斜している。
【００３７】
液体洗剤収容部７６の後角隅部には、液体洗剤が流出する液体洗剤流出口（流出口）８１が形成されており、液体洗剤収容部７６の底面部は、液体洗剤流出口８１に向かって下方に傾斜している。また、液体洗剤収容部７６と液体仕上剤収容部７７との仕切り壁９７は、上方から見た平面形状で、液体洗剤流出口８１に向かって傾斜しており、液体洗剤収容部７６の底面部の傾斜と合わせて、液剤が液体洗剤流出口８１へ流れ込みやすいようになっている。
【００３８】
粉末洗剤収容部７５には、粉末洗剤が投入された際にこぼれ出ないように、洗剤落下防止板８２を粉末洗剤投入路８３との間に設け、粉末洗剤が洗剤ケース６７へ落下するのを防止するとともに、給水時には、注水蓋体６６から供給された水とともに洗剤液として洗剤落下防止板８２と粉末洗剤収容部７５との間に形成した流出溝より粉末洗剤投入路８３へ流出し、図１に示す洗剤ケース６７の洗剤液供給路７０へ流れ、洗濯槽給水経路６９を経由して、洗濯槽４４内に供給される。
【００３９】
また、取っ手７２には、上面部を軸部にして嵌合した取っ手カバー７３が具備されており、取っ手カバー７３は、上面部を軸に下面部が開閉自在になっている。これにより、取っ手カバー７３を奥側に押して開き、手を差し込んで洗剤投入箱６４を出し入れできるようになっている。
【００４０】
洗剤投入箱６４には、洗濯槽４４内に噴出させる香り成分を収納する香り成分収納箱８４が前記空間部６８に収納された状態で最も奥側に形成されており、香り成分収納箱８４の上面には、香り成分蓋体８５が取り付けられている。香り成分蓋体８５には、香り成分収納箱８４の内側に空気を取り入れるための逆止弁８６が具備されている。香り成分は、香り成分蓋体８５を開いて、香り成分収納箱８４に投入することができるようになっている。香り成分収納箱８４の奥側の壁面の下方には、第一の接続部８７が形成されており、洗剤ケース６７の奥壁内面には、第一の接続部８７に対向した位置に第二の接続部８８が形成されている。
【００４１】
図３に示すように、香り成分収納箱８４の奥側の壁面の下方に形成した第一の接続部８７には、香り成分収納箱８４と一体に、外周円周部を円錐台状に突出させて形成した略円形の第一の接続口８９が形成され、第一の接続口８９の内側には、第一の接続口８９を内部からシールするシール材９０とそれを押圧するコイルバネ等の弾性体９６で構成したシール構成部材９１が具備されている。
【００４２】
洗剤ケース６７の奥壁内面に形成した第二の接続部８８には、第一の接続口８９に対向する位置に、第一の接続口８９の外周円周部、あるいは、さらにその外周部と水密的に接合するため、ゴムなどの可撓性部材で形成した略円形の第二の接続口９２が形成されている。
【００４３】
また、洗剤ケース６７の奥壁内面には、第二の接続口９２の略中心位置に凸部９４を内方に突出させて設けてある。凸部９４は、洗剤投入箱６４が洗剤ケース６７に収納される際に、第一の接続口８９から香り成分収納箱８４内に嵌入され、第一の接続口８９の外周円周部の内側でシール構成部材９１に対向する位置に配設されており、端部でシール構成部材９１を押圧移動させて開閉する。凸部９４の前後方向の寸法は、香り成分収納箱８４の第一の接続口８９の外周円周部、あるいは、さらにその外周部と洗剤ケース６７の第二の接続口９２を形成する可撓性部材が水密的に接合した後に、シール構成部材９１を開くように設定されている。
【００４４】
洗剤ケース６７には、第一の接続口８９（第一の接続部８７）と第二の接続口９２の水密接続を維持するため、洗剤投入箱６４の前後方向を規制する係止部９３が形成されている。係止部９３は、洗剤投入箱６４を洗剤ケース６７に収納する際には、第一の接続口８９（第一の接続部８７）と第二の接続口９２の水密接続完了以降に、可撓部の作用により水密接続完了の状態でロックして洗剤投入箱６４の前方移動を規制し、洗剤投入箱６４の取り出し時には、使用者が洗剤投入箱６４の一部を押圧すると、洗剤投入箱６４の洗剤ケース６７に対する係り止めが解除されるように可撓部を形成するとともに、シール構成部材９１の弾性体９６の力で筐体４３の前方方向に押し出されるように構成されている。
【００４５】
なお、洗剤投入箱６４が洗剤ケース６７に完全に収納された状態において、香り成分収納箱８４の上部には、注水蓋体６６の注水口の小孔は存在しないように注水蓋体６６は構成されている。
【００４６】
以上のように構成した洗濯機について、香り成分を衣類に付与する洗濯を行う場合の動作、作用を説明する。
【００４７】
まず、使用者は、洗濯開始前に洗剤投入箱６４を洗剤ケース６７から前方に引き出し、香り成分蓋体８５を開いて芳香材等の液状の香り成分を香り成分収納箱８４に投入する。香り成分蓋体８５を閉じて香り成分が投入された香り成分収納箱８４を格納した洗剤投入箱６４を洗剤ケース６７内に収容する。洗剤投入箱６４は、洗剤ケース６７内に格納した際に、係止部９３によって前後方向が規制される。このとき、第一の接続口８９と第二の接続口９２が水密接続し、洗剤ケース６７に形成された凸部９４が香り成分収納箱８４内に備えられたシール構成部材９１を前方に押し出す。
【００４８】
これにより、シール材９０によるシールが解放されシール構成部材９１が開いて香り成分収納箱８４に投入された香り成分がその自重で洗剤ケース６７へと流れこみ、洗剤ケース６７に形成された洗濯槽４４との接続口９５を経由して洗濯槽４４内へと供給される。この際、香り成分蓋体８５に香り成分収納箱８４の内側に空気を取り入れるための逆止弁８６が具備されているので、香り成分収納箱８４内が密閉状態となることがなく、香り成分が自重でスムーズに香り成分収納箱８４から洗剤ケース６７へ流れ出てゆく。
【００４９】
その後、操作パネル部５９での入力設定手段により運転コースや各行程の条件が設定され、スタートボタンが押されると、洗濯運転が開始され、香り成分を衣類に付与した洗濯が行われる。
【００５０】
以上のような洗剤投入箱６４の構成により、香り成分を香り成分収納箱８４および洗剤ケース６７を経由して、直接洗濯槽４４に投入することができるので、香り成分を原液の状態で洗濯槽４４内に供給することができる。
【００５１】
なお、本実施の形態では香り成分収納箱８４の第一の接続口８９の外周円周部を円錐台状に突出させて形成したが、第一の接続口８９の外周部は突出させなくても同様の効果を得ることができる。しかしながら、第一の接続口８９の外周部を奥側に突出させることにより、香り成分収納箱８４内に収納した香り成分の自重による洗剤ケース６７への送給をスムーズかつ正確に行える。また、洗剤ケース６７に設ける凸部９４の突出寸法を短くできる、第二の接続口９２の水密機能にとって重要な可撓性を十分に確保できる等、実用上最適な構成とすることができる。
【００５２】
また、上記実施の形態ではドラム式洗濯機としたが、攪拌翼を備えたいわゆるパルセータ式洗濯機に対しても本発明は適用し得る。また、本発明は、乾燥機能を備えた洗濯乾燥機にも適用できる。
【産業上の利用可能性】
【００５３】
以上のように、本発明にかかる洗濯機は、香り付けを目的とした香り成分などの水を使用した希釈を必要としない新たな溶液を原液の状態で洗濯槽内に送給できるので、洗濯機や洗濯乾燥機に香り付け機能などの新たな付加価値を提供するものとして有用である。
【符号の説明】
【００５４】
４１  回転ドラム（収容槽）
４３  筐体
４４  洗濯槽
６０  洗剤投入部
６４  洗剤投入箱
６６  注水蓋体
６７  洗剤ケース
６８  空間部
６９  洗濯槽給水経路
７０  洗剤液供給路
７１  収容容器本体
７４  収容部蓋体
７５  粉末洗剤収容部
７６  液体洗剤収容部（第１の収容部）
７７  液体仕上剤収容部（第２の収容部）
８１  液体洗剤流出口（流出口）
８４  香り成分収納箱
８５  香り成分蓋体
８６  逆止弁
８７  第一の接続部
８８  第二の接続部
８９  第一の接続口
９０  シール材
９１  シール構成部材
９２  第二の接続口
９３  係止部
９４  凸部
９５  接続口
９６  弾性体
【図１】
2018042866.tif 000003
【図２】
2018042866.tif 000004
【図３】
2018042866.tif 000005
【図４】
2018042866.tif 000006
【図５】
2018042866.tif 000007
【図６】
2018042866.tif 000008